(57)【要約】【課題】  放送中の番組の次に放送される番組に関する情報をユーザに容易に報知することが可能な電子機器、番組情報表示方法及びそのプログラムを提供すること。【解決手段】  放送視聴アプリケーション８４は、ＥＰＧデータを基に、現在放送中の番組のチャンネル毎の一覧を示す現在番組リスト１０８と、現在放送中の番組の次に放送予定の番組のチャンネル毎の一覧を示す次番組リスト１１０を生成し、ユーザが次番組リスト表示ボタン１０９を押下したときに、次番組リスト１１０を表示する。更に、当該次番組リスト１１０上で当該次番組リスト中の各番組の視聴予約又は録画予約を設定する。【選択図】  図１２
2006245703.tif 000002
【特許請求の範囲】
【請求項１】
複数のチャンネルで放送されるデジタル放送データを受信する受信手段と、
前記受信されたデジタル放送データを再生する再生手段と、
前記各チャンネルの番組情報が記述された電子番組ガイドデータを取得する取得手段と、
前記取得された電子番組ガイドデータを基に、前記各チャンネルで放送中の番組の次に放送される予定の各番組の各番組情報を次番組リストとして表示する表示手段と
を具備することを特徴とする電子機器。
【請求項２】
請求項１に記載の電子機器であって、
前記表示された次番組リストを基に、該次番組リスト中の各番組の再生を予約する再生予約手段を更に具備することを特徴とする電子機器。
【請求項３】
請求項２に記載の電子機器であって、
前記再生予約手段は、前記表示された次番組リスト上の各番組情報の表示エリア内でユーザによる各番組の再生予約操作を入力することを特徴とする電子機器。
【請求項４】
請求項１に記載の電子機器であって、
前記再生されたデジタル放送データを記録する記録手段と、
前記表示された次番組リストを基に、該番組情報リスト中の各番組の前記記録を予約する記録予約手段と
を更に具備することを特徴とする電子機器。
【請求項５】
請求項４に記載の電子機器であって、
前記記録予約手段は、前記表示された次番組リスト上の各番組情報の表示エリア内でユーザによる各番組の記録予約操作を入力することを特徴とする電子機器。
【請求項６】
複数のチャンネルで放送されるデジタル放送データを受信するステップと、
前記受信されたデジタル放送データを再生するステップと、
前記各チャンネルの番組情報が記述された電子番組ガイドデータを取得するステップと、
前記取得された電子番組ガイドデータを基に、前記各チャンネルで放送中の番組の次に放送される予定の各番組の各番組情報を次番組リストとして表示するステップと
を具備することを特徴とする番組情報表示方法。
【請求項７】
電子機器に、
複数のチャンネルで放送されるデジタル放送データを受信するステップと、
前記受信されたデジタル放送データを再生するステップと、
前記各チャンネルの番組情報が記述された電子番組ガイドデータを取得するステップと、
前記取得された電子番組ガイドデータを基に、前記各チャンネルで放送中の番組の次に放送される予定の各番組の各番組情報を次番組リストとして表示するステップと
を実行させるためのプログラム。
【発明の詳細な説明】
【技術分野】
【０００１】
本発明は、例えば衛星デジタル放送等の番組情報を表示することが可能な電子機器、番組情報表示方法及びそのプログラムに関する。
【背景技術】
【０００２】
近年、地上波又は放送衛星波によるデジタル放送においては、放送受信端末が当該デジタル放送波又はインターネットを通して、ＥＰＧ（Electronic Program Guide）と呼ばれる電子番組表を取得し、表示するシステムが実用化されている。当該番組表では、新聞や雑誌に記載されている番組表と同様、放送局から放送される１日分の番組の番組名、放送開始時間、放送開始時刻、番組内容、出演者等の番組情報が、チャンネル毎及び番組毎に欄分けされ、放送スケジュール（時間帯）順に表示される。ユーザは、放送受信端末に表示された当該電子番組表を閲覧して、所望の番組を決定し、当該番組を視聴する。
【０００３】
しかし、そのような電子番組表では、ユーザは、現在どの番組が放送中であるかを知りたい場合には、現在時刻を確認し、一方で１日分の番組スケジュールが記載された電子番組表の中から、現在時刻に放送中の番組内容が記載された欄を見つける、という煩雑な作業が必要となる。
【０００４】
そこで、現在各チャンネルで放送中の番組が人目で分かるように、上記ＥＰＧデータを編集して、現在放送中の番組のチャンネル毎のリストを表示するようにした技術が開示されている（例えば特許文献１参照）。また、特定の時間帯にどの番組が放送されるのかを分かりやすくするために、１日分の番組スケジュールではなく、数時間単位の時間帯毎に番組表を表示する技術も開示されている（例えば特許文献２参照）。
【特許文献１】特開２００３−１５３１０１（段落［００３０］、図２等）
【特許文献２】特開２００３−０３２５６８（段落［００５５］、図３等）
【発明の開示】
【発明が解決しようとする課題】
【０００５】
ところで、ユーザが、現在各チャンネルで放送中の番組を視聴中に、当該番組の次に放送予定の番組を知りたい場合がある。例えば、現在視聴中の番組の次の番組にユーザの所望の番組がある場合には、ユーザは、当該次の番組の放送開始時刻までに当該番組のチャンネルを選局して、当該番組を初めから終わりまで見逃すことなく視聴することを望むものである。
【０００６】
しかし、ユーザが次の番組を知ろうとする場合、上述の特許文献１に記載の技術のような、現在放送中の番組のリストを閲覧しても、それらの番組の次に各チャンネルでどの番組が放送されるかは分からない。従って、ユーザは、当該リストではなく通常の番組表で現在の番組が記載された欄を確認し、当該欄の例えば下の欄に記載された次の番組を確認するという２つの作業を行う必要がある。また、上述の特許文献２に記載の技術のような、時間帯毎の番組表を閲覧しても、現在放送中の番組の次の番組の放送開始時刻は同時刻であるとは限らないため、当該次の番組を認識するにはやはり上述のような２つの作業を行なう必要がある。
【０００７】
上記事情に鑑み、本発明の目的は、放送中の番組の次に放送される番組に関する情報をユーザに容易に報知することが可能な電子機器、番組情報表示方法及びそのプログラムを提供することにある。
【課題を解決するための手段】
【０００８】
上述の課題を解決するため、本発明の主たる観点に係る電子機器は、複数のチャンネルで放送されるデジタル放送データを受信する受信手段と、前記受信されたデジタル放送データを再生する再生手段と、前記各チャンネルの番組情報が記述された電子番組ガイドデータを取得する取得手段と、前記取得された電子番組ガイドデータを基に、前記各チャンネルで放送中の番組の次に放送される予定の各番組の各番組情報を次番組リストとして表示する表示手段とを具備する。
【０００９】
ここでデジタル放送データには、映像及び音声両方のデータが含まれる場合は勿論、映像又は音声のみの場合もある。また上記電子番組ガイドデータは、上記デジタル放送データに含まれているものを抽出する態様でもよいし、またインターネット経由で取得する態様であってもよい。また上記番組情報とは、例えば番組のチャンネル名、番組名、放送開始時刻、放送終了時刻等の情報である。
【００１０】
この構成によれば、ユーザは、上記表示される次番組リストを参照することで、各チャンネルで放送中の番組の次に放送される番組に関する情報を容易に認識することができる。これによりユーザは例えばある番組を視聴中に、次にどの番組を視聴するかを容易に決定することができ、利便性が向上する。
【００１１】
本発明の一の形態によれば、上記電子機器は、前記表示された次番組リストを基に、該次番組リスト中の各番組の再生を予約する再生予約手段を更に具備していてもよい。これにより、再生予約された番組がその放送開始時刻になったときに自動的に再生されるため、
ユーザは、次番組リスト中の番組を当該番組の放送開始時刻を意識することなく、確実に視聴することが可能となる。なお、この場合、視聴予約した番組の放送が開始される直前に当該番組のチャンネルとは別のチャンネルをユーザが選局していた場合には、当該予約した番組の開始時刻に自動的にチャンネルが切り替わることになる。従って、ユーザは次の番組の開始時刻にいちいち選局操作を行なう手間を省略することができる。
【００１２】
本発明の一の形態によれば、上記電子機器において、前記再生予約手段は、前記表示された次番組リスト上の各番組情報の表示エリア内でユーザによる各番組の再生予約操作を入力するようにしてもよい。ユーザによる入力操作は、例えばマウス等のクリック動作、指や入力ペン等によるタッチ等を用いることができる。これにより、上記再生予約をより容易かつ分かりやすく行うことが可能なユーザインターフェースを提供することができる。
【００１３】
本発明の一の形態によれば、上記電子機器は、前記再生されたデジタル放送データを記録する記録手段と、前記表示された次番組リストを基に、該番組情報リスト中の各番組の前記記録を予約する記録予約手段とを更に具備していてもよい。ここで記録とは録画と録音の両方の場合が含まれる。これにより、次の番組を容易に認識するだけでなく当該番組の記録予約も可能となるため、通常のＥＰＧから現在の番組及び次の番組を認識して録画予約を行なう場合に比べて作業が簡素化され、利便性が向上する。
【００１４】
本発明の一の形態によれば、上記電子機器において、前記記録予約手段は、前記表示された次番組リスト上の各番組情報の表示エリア内でユーザによる各番組の記録予約操作を入力するようにしてもよい。これにより、上記記録予約をより容易かつ分かりやすく行うことが可能なユーザインターフェースを提供することができる。
【００１５】
本発明の別の観点に係る番組情報表示方法は、複数のチャンネルで放送されるデジタル放送データを受信するステップと、前記受信されたデジタル放送データを再生するステップと、前記各チャンネルの番組情報が記述された電子番組ガイドデータを取得するステップと、前記取得された電子番組ガイドデータを基に、前記各チャンネルで放送中の番組の次に放送される予定の各番組の各番組情報を次番組リストとして表示するステップとを具備する。
【００１６】
また、本発明の更に別の観点に係るプログラムは、電子機器に、複数のチャンネルで放送されるデジタル放送データを受信するステップと、前記受信されたデジタル放送データを再生するステップと、前記各チャンネルの番組情報が記述された電子番組ガイドデータを取得するステップと、前記取得された電子番組ガイドデータを基に、前記各チャンネルで放送中の番組の次に放送される予定の各番組の各番組情報を次番組リストとして表示するステップとを実行させるものである。
【発明の効果】
【００１７】
本発明によれば、放送中の番組の次に放送される番組に関する情報をユーザに容易に報知することが可能な電子機器、番組情報表示方法及びそのプログラムを提供することができる。
【発明を実施するための最良の形態】
【００１８】
以下、本発明の実施の形態を図面に基づき詳細に説明する。
【００１９】
本実施形態においては、電子機器としてノート型のパーソナルコンピュータ１を適用している。また、放送の受信から映像及び／又は音声の再生までの処理のうち、放送の受信や当該放送信号の復調等の処理を、当該パーソナルコンピュータ１のＰＣＭＣＩＡカードスロットに挿入したカード型の受信装置１０により実行している。まず、当該カード型の受信装置１０について説明する。
【００２０】
（カード型の受信装置の外観構成）  
【００２１】
図１は本発明の一実施形態に係るカード型の受信装置の外観を示す斜視図であって、アンテナ収容ケースを折り畳んだ状態を示している。図２は当該カード型の受信装置の外観を示す図であって、アンテナ収容ケースを開いた状態を示している。図３は当該カード型の受信装置がパーソナルコンピュータのＰＣＭＣＩＡカードスロットに挿入された状態を示している。
【００２２】
これらの図に示すように、このカード型の受信装置１０は、パーソナルコンピュータ１のＰＣＭＣＩＡカードスロット２に挿入可能とされている。  
【００２３】
このカード型の受信装置１０は、パーソナルコンピュータ１のＰＣＭＣＩＡカードスロット２内に収容されるカード本体２０と、このカード本体２０と一体化され、かつ、カード本体２０がＰＣＭＣＩＡカードスロット２内に収容されたときに当該カードスロット２より外側に露出する外出部３０とを有する。
【００２４】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣＭＣＩＡカードスロット２内に収容されたときにＰＣＭＣＩＡカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００２５】
外出部３０は、カード本体２０がＰＣＭＣＩＡカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００２６】
第１のケース３１の表面３４のほぼ中央には、Ｘ方向に所定の間隔をもって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００２７】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００２８】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００２９】
各第２のケース３３の第１のケース３１がある側とは反対側の側面には、外部アンテナ接続端子３９が設けられている。外部アンテナ接続端子３９にはゴム製のキャップ４０が取り付けられている。
【００３０】
（カード型の受信装置１０の内部構成）  
【００３１】
ここで、このカード型の受信装置１０は、衛星放送を受信して暗号化された映像信号及び／又は音声信号をパーソナルコンピュータ１に伝送するものである。なお、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００３２】
図４はこの実施形態に係るカード型の受信装置１０の内部構成を示すブロック図である。  
【００３３】
同図に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００３４】
図５に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００３５】
第１のケース３１内には、増幅されたＲＦ信号を復調部に渡すためにダウンコンバートするＲＦダウンコンバート部４４が設けられている。
【００３６】
図６に示すように、このＲＦダウンコンバート部４４を構成する素子における第１のケース３１の表面３４側には、グランドに接地された金属製の板状部材４５により覆われている。これにより、ＲＦダウンコンバート部４４から発生する熱をより効果的に放熱することが可能となり、ＲＦダウンコンバート部４４から発生するノイズがＬＮＡ４２に回り込むことがなくなる。
【００３７】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ(Random Access Memory)、ＲＯＭ(Read Only Memory)、パーソナルコンピュータ１から供給された電力を各部に供給するための電源部等（以上、図示を省略）を備える。
【００３８】
以上の第１のケース３１内及びカード本体２０内の各構成部品は１枚の共通の基板４９上に実装されている。
【００３９】
次に、上記のようなカード型の受信装置１０が接続されるパーソナルコンピュータ１について説明する。図７は、パーソナルコンピュータ１の構成を示したブロック図である。
【００４０】
同図に示すように、パーソナルコンピュータ１は、インターフェース部７１、デコーダ７２、グラフィックコントローラ７３、Ｄ／Ａ（デジタル／アナログ）コンバータ７４、表示部７５、音声出力部７６、操作入力部７７、バッテリ７８、ＨＤＤ７９、ＣＰＵ(Central Processing Unit)８０、ＲＡＭ８１及びＲＯＭ８２で構成され、それらはバス８３で接続されている。
【００４１】
インターフェース部７１は、パーソナルコンピュータ１とカード型の受信装置１０とを接続するインターフェースとなる。当該インターフェース部７１は具体的には上述したＰＣＭＣＩＡカードスロット２であり、当該スロット２内のオス型のコネクタが上記カード型受信装置１０のメス型のコネクタ２２と接続することで、上記復調部４６において復調され、インターフェース部４８において暗号化された信号がパーソナルコンピュータ１内に送入される。
【００４２】
デコーダ７２は、上記インターフェース部７１を介して送入されたデジタル信号の処理を行う。具体的には、暗号化されたデジタル信号を復号するとともに、例えばＭＰＥＧ−２（Moving Picture Experts Group-2）のＴＳ（トランスポートストリーム）方式で圧縮されたデジタル信号をＭＰＥＧ−２の規定に従ってデコードする。当該デコードされたデジタル信号のうち、映像信号はグラフィックコントローラ７３へ送られ、音声信号はＤ／Ａコンバータ７４へ送られる。更に、データ信号又はＳＩ／ＰＳＩ（Program Specific Information / Service Information）信号からは、各チャンネルで放送される番組の番組内容が記述されたＥＰＧデータが抽出され、ＲＡＭ８１へ記憶される。なお、本実施形態においては、デコーダ７２はソフトウェアにより実現されるが、ハードウェアによって実現されても勿論構わない。
【００４３】
グラフィックコントローラ７３では、受信したデジタル映像信号が例えばＮＴＳＣ画像信号に変換され、当該ＮＴＳＣ画像が、例えばＬＣＤ（Liquid Crystal Display）等でなる表示部７５へ表示される。また、Ｄ／Ａコンバータ７４では、デジタル音声信号がアナログ音声信号へ変換され、当該アナログ音声信号が音声出力部７６から出力される。
【００４４】
操作入力部７７は、例えばキーボード、マウス、トラックパッド、タッチパネル、操作ボタン等でなり、番組を再生又は録画したり、番組情報を表示したりする際のユーザの操作を入力する。またバッテリ７８は、パーソナルコンピュータ１の電源を供給すると共に、上記インターフェース部７１を介してカード型受信装置１０へ電力を供給する。
【００４５】
ＨＤＤ７９は、ＯＳや各種アプリケーション等、パーソナルコンピュータ１を動作させるために必要なプログラムや、放送番組を記録した映像又は音声ファイル等の各種データを格納している。本実施形態においてデジタル放送を視聴するための放送視聴アプリケーション８４も当該ＨＤＤ７９に格納される。
【００４６】
ＣＰＵ８０は、ＲＯＭ８２に格納されている制御プログラムや、上記放送視聴アプリケーション８４のような各種アプリケーションやプログラム、各種データをＲＡＭ８１に展開し、上記操作入力部７７から入力されたユーザの指示に基づいて、各種ハードウェアや、アプリケーション及びプログラムの処理を行い、パーソナルコンピュータ１の全体の動作を制御する。また上述したようにＲＡＭ８１には上記ＥＰＧデータも格納される。
【００４７】
次に、上記ＨＤＤ７９に格納された放送視聴アプリケーション８４について説明する。図８は、当該放送視聴アプリケーション８４の詳細を示した図である。
【００４８】
同図に示すように、放送視聴アプリケーション８４は、放送再生プログラム９１、放送記録プログラム９２、再生／記録予約プログラム９３及び番組情報処理プログラム９４で構成される。
【００４９】
放送再生プログラム９１は、上記デジタル信号のデコードや、表示部７５及び音声出力部７６への出力等、受信された放送の再生に必要な処理を行なうプログラムである。  
【００５０】
放送記録プログラム９２は、受信された放送番組をＨＤＤ７９へ記録するためのプログラムである。なお、当該記録の際には、デコーダ７２における復号処理は行われず、インターフェース部７１を介して送入された、暗号化されたままの映像／音声信号が記録される。このとき、ＣＰＵ８０は上記カード型受信装置１０が有する固有のＩＤをインターフェース部７１を介して抽出し、記録したファイル中に当該ＩＤを埋め込む。そして、当該記録したファイルを再生する際には、上記記録時のＩＤと同一のＩＤを有するカード型受信装置１０の接続をＣＰＵ８０が認識した上で、デコーダ７２で復号されて再生される。  
【００５１】
再生／記録予約プログラム９３は、放送される予定の放送番組の再生及び記録の予約を設定し、そのスケジュールを管理するプログラムである。具体的には、再生予約の場合には、放送される予定の放送番組からユーザが視聴を所望する番組を指定して、当該番組の放送開始時刻になったときに上記放送再生プログラム９１等の処理により当該番組の再生を行なわせる。また記録予約の場合には、同様に当該番組の開始時刻になったときに上記放送記録プログラム９２等の処理により当該番組の録画（映像番組の場合）又は録音（音声のみの番組の場合）を行なわせる。
【００５２】
番組情報処理プログラム９４は、上記デコーダ７２で抽出されたＥＰＧデータを基に、放送中又は放送予定の番組に関する情報を編集したり、当該情報を表示部７５に表示したりする処理を行うためのプログラムである。具体的には、各チャンネルで放送される番組を時間帯毎の表にした番組表や、各チャンネルで現在放送中の番組の一覧（以下、現在番組リストという。）、及び各チャンネルで現在放送中の番組の次に放送予定の番組の一覧（以下、次番組リストという。）を生成して表示部７５に表示することが可能である。
【００５３】
図９は、上記ＥＰＧデータの詳細を示した図である。同図に示すように、ＥＰＧデータに含まれる番組情報としては、放送される番組のチャンネル名、当該チャンネルのＩＤ、番組名、放送開始時刻及び放送終了時刻等が含まれる。これらの情報は、受信可能な全てのチャンネル分の情報が多重化されて、例えば各チャンネルの一つの番組毎に放送されたり、又は放送中の番組及びその次に放送される番組の２つの番組分放送されたり、更には１週間分まとめて放送されたりする。番組情報処理プログラム９４は、受信されたそれらの番組情報をＲＡＭ８１へ記憶し、また、一週間分の番組情報のように長期間保存する必要のある情報についてはＨＤＤ７９に蓄積し、ユーザの操作があった場合等、必要に応じて編集する。
【００５４】
次に、以上のように構成されたカード型受信装置１０及びパーソナルコンピュータ１が、番組情報を表示する際の動作について説明する。
【００５５】
図１０は、本実施形態において番組を視聴する場合に、表示部７５に表示されるウィンドウ（以下、視聴ウィンドウという）の例を示した図である。同図に示すように、視聴ウィンドウ１００においては、番組の映像が表示される番組表示画面１０４の上部に、チャンネル表示欄１０１及び番組表示欄１０３を有する。チャンネル表示欄にはチャンネルＩＤとチャンネル名が表示され、また当該欄右端のチャンネル切替ボタン１０２をユーザが操作入力部７７を介してクリック等することによりチャンネルの切替（選局）を行なうことが可能となっている。
【００５６】
番組表示画面１０４の下部には音量調整エリア１０６が表示され、ユーザが当該エリア内の任意の位置又は両端のボタンをクリック等することにより音量調整を行なうことが可能となっている。
【００５７】
音量調整エリア１０６の下部には、番組リスト表示ボタン１０５が表示される。ユーザが当該ボタンをクリック等することにより、現在番組リスト及び次番組リストを表示する番組リストウィンドウ１０７が開く。
【００５８】
図１１は、番組リストウィンドウ１０７の表示例を示した図である。同図に示すように、当該番組リストウィンドウ１０７が最初に開かれた場合には、現在番組リスト１０８が表示される。当該現在番組リスト１０８には、各チャンネル毎に、現在表示されている番組の、チャンネルＩＤ、チャンネル名、番組名、番組開始時刻及び番組終了時刻の各項目が一覧として表示される。当該現在番組リスト１０８は、上記記憶したＥＰＧデータを基に、番組情報処理プログラム９４の処理により表示される。
【００５９】
また、当該現在番組リスト１０８の右上の部分には、次番組リスト表示ボタン１０９が表示される。当該次番組リスト表示ボタン１０９をユーザがクリック等することにより、番組リストウィンドウ１０７内に次番組リスト１１０を表示させることが可能となっている。
【００６０】
図１２は、当該次番組リスト１１０が表示された場合の番組リストウィンドウ１０７の表示例を示した図である。同図に示すように、次番組リスト１１０において番組情報として表示される項目は、上記現在番組リスト１０８と同様である。当該次番組リスト１１０では、上記現在番組リスト１０８に表示された各チャンネルの番組の次に放送予定の番組がそれぞれ表示される。また、次番組リスト１１０の右上の部分には現在番組リスト表示ボタン１１１が表示され、ユーザが当該現在番組リスト表示ボタン１１１をクリック等することにより、番組リストウィンドウ１０７内に上記現在番組リスト１０８が再び表示させることが可能となっている。
【００６１】
次に、上記次番組リスト１１０を表示する動作について詳細に説明する。図１３は、当該動作の流れを示したフローチャートである。  
【００６２】
同図に示すように、まず、放送視聴アプリケーション８４の番組情報処理プログラム９４は、操作入力部７７からユーザにより番組リスト表示ボタン１０５が押下されたか否かを確認し（ステップ１２１）、押下されたことを確認すると（ステップ１２１のＹＥＳ）、ＲＡＭ８１に記憶されたＥＰＧデータを読み込む（ステップ１２２）。続いて、当該ＥＰＧデータ中の各番組情報を基に、現在番組リスト１０８及び次番組リスト１１０を生成し（ステップ１２３）、番組リストウィンドウ１０７を立ち上げて当該ウィンドウ中にまず現在番組リスト１０８を表示する（ステップ１２４、図１１参照）。そして、番組情報処理プログラム９４は、ユーザにより次番組リスト表示ボタン１０９が押下されたか否かを確認し（ステップ１２５）、押下された場合には、番組リストウィンドウ１０７内に上記生成した次番組リスト１１０を表示させる。当該動作は、ユーザから操作入力がある毎に繰り返されることとなる。
【００６３】
ＥＰＧを用いて表示される一般的な番組表においては、新聞や雑誌等に掲載されているものと同様、一つのチャンネルの複数の時間帯の番組情報をタイムスケジュールに従って縦方向に表示する欄をチャンネル分横方向に並べた形態をとっている。しかし、各チャンネルで放送中の番組の次の番組の放送開始時刻は全て同時刻とは限らないため、次の番組が横方向に一列に表示されることは滅多にない。よってユーザは放送中の番組の記載欄の下の欄に記載された次の番組をチャンネル毎に視線を上下させながら確認するという煩雑な作業が必要となる。しかし、以上の動作により、ある時間帯を基準にするのではなく、当該次番組リスト１１０のように、放送中の番組の次の番組のみを一覧としてそれぞれ表示することで、通常の番組表と比べて、ユーザは次にどの番組を視聴するかを容易に決定することができる。
【００６４】
また、放送視聴アプリケーション８４は、上記次番組リスト１１０の表示画面上から、当該次番組の視聴又は録画の予約を設定することも可能である。図１４は、視聴予約を行なう場合の番組リストウィンドウの表示例を示した図である。同図に示すように、ユーザが次番組リスト１１０に表示された各番組の表示エリアに操作入力部７７を介してポイントを当て、クリック操作を行なうと、当該ポイントした番組を視聴予約又は録画予約するための予約ウィンドウ１３１がポップアップ表示される。当該予約ウィンドウ１３１内でユーザのクリック操作等により視聴予約又は録画予約が選択されると、上記再生／記録予約プログラム９３により、当該選択された次番組の再生又は録画が設定され、当該次番組の放送開始時刻になったときに上記放送再生プログラム９１又は放送記録プログラム９２の動作により次番組が再生又は録画される。なお、図示しないが、本実施形態の放送視聴アプリケーション８４は映像番組のみならず音声番組も受信して再生することが可能となっており、映像番組と同様に音声番組も視聴予約又は録音予約を行なうことが可能である。
【００６５】
図１５は、視聴／記録予約動作の流れを示したフローチャートである。同図に示すように、番組情報処理プログラム９４により次番組リスト１１０が表示されると（ステップ１４１）、再生／記録予約プログラム９３は、当該次番組リスト１１０上の何れかの番組の表示エリア内で、ユーザによりクリック操作が入力されたか否かを確認し（ステップ１４２）、クリック操作があった場合には（ステップ１４２のＹＥＳ）、上記予約ウィンドウ１３１を表示する（ステップ１４３）。そして、当該予約ウィンドウ１３１内でユーザの操作により視聴予約が選択された場合（ステップ１４４のＹＥＳ）には、当該番組の開始時刻及び終了時刻等の情報を基に、当該表示エリア内の番組の再生を予約する（ステップ１４５）。同様に、上記予約ウィンドウ１３１内で録画予約が選択された場合には（ステップ１４８のＹＥＳ）、当該番組の録画を予約する（ステップ１４９）。そして、当該予約した番組の放送開始時刻になったときに（ステップ１４６及びステップ１５０のＹＥＳ）、放送再生プログラム９１が当該再生予約番組を再生し（ステップ１４７）、また放送記録プログラム９２が、当該録画予約番組を録画する（ステップ１５１）。放送視聴アプリケーション８４は、以上の動作を、視聴／録画予約があった番組全てについて実行する。
【００６６】
以上の動作により、上記次番組リスト上から、ユーザにとって非常に分かりやすいインターフェースを用いて視聴予約又は録画予約を実行できる。また、視聴予約をした場合には、仮にユーザが当該視聴予約をした番組のチャンネルとは異なる番組を視聴したいたとしても、上記設定時刻になれば自動的にチャンネルが切り替わり、予約した番組を視聴することができるため、ユーザは次の番組の放送開始時刻を意識することなく確実に視聴することができる。
【００６７】
なお、本発明は上述の実施形態にのみ限定されるものではなく、本発明の要旨を逸脱しない範囲内において種々変更を加え得ることは勿論である。
【００６８】
例えば、上記実施形態においてはカード型の受信装置１０の機能がパーソナルコンピュータ１に内蔵されていても構わない。
【００６９】
また、上記実施形態においてはＥＰＧデータを放送信号中から抽出することで取得していたが、パーソナルコンピュータ１がインターネット等のネットワークとの通信部を有している場合には、ＥＰＧをインターネット経由で取得してもよい。
【００７０】
また、上記実施形態においては、上記ＥＰＧデータには番組情報としてチャンネル名、チャンネルＩＤ、番組名、放送開始時刻及び放送終了時刻の各情報が含まれていたが、更に番組の出演者や番組内容に関する情報も取得して、それらの情報も番組表や現在番組リスト及び次番組リスト中に表示するようにしてもよい。
【００７１】
また、上記実施形態においては現在番組リスト１０８と次番組リスト１１０の両方を表示するようにしていたが、次番組リスト１１０のみ表示するようにしても構わない。
【図面の簡単な説明】
【００７２】
【図１】本発明の一実施形態に係るカード型の受信装置の外観を示す斜視図であって、アンテナ収容ケースを折り畳んだ状態を示している。
【図２】一実施形態に係るカード型の受信装置の外観を示す図であって、アンテナ収容ケースを開いた状態を示している。
【図３】一実施形態に係るカード型の受信装置がパーソナルコンピュータのＰＣＭＣＩＡカードスロットに挿入された状態を示した図である。
【図４】本実施形態に係るカード型の受信装置１０の内部構成を示すブロック図である。
【図５】一実施形態に係る第２のケースの断面図である。
【図６】一実施形態に係る第１のケースの断面図である。
【図７】一実施形態に係るパーソナルコンピュータ１の構成を示したブロック図である。
【図８】一実施形態に係る放送視聴アプリケーション８４の詳細を示した図である。
【図９】一実施形態に係るＥＰＧデータの詳細を示した図である。
【図１０】一実施形態において番組を視聴する場合に表示される画面の例を示した図である。
【図１１】番組リストウィンドウ１０７の表示例を示した図である。
【図１２】次番組リスト１１０が表示された場合の番組リストウィンドウ１０７の表示例を示した図である。
【図１３】次番組リスト１１０を表示する場合の放送視聴アプリケーション８４の動作の流れを示したフローチャートである。
【図１４】視聴／記録予約を行なう場合の番組リストウィンドウの表示例を示した図である。
【図１５】視聴／記録予約を行なう場合の放送視聴アプリケーション８４の動作の流れを示したフローチャートである。
【符号の説明】
【００７３】
１  パーソナルコンピュータ
２  ＰＣＭＣＩＡカードスロット
１０…カード型の受信装置
２０…カード本体
３０…外出部
３１…第１のケース
３２…枢着部
３３…第２のケース
３９…外部アンテナ接続端子
４１…平面型のパッチアンテナ
４２…ＬＮＡ（ローノイズアンプ）
４３…アンテナ切り替え部
４４…ＲＦダウンコンバート部
４５…金属製の板状部材
４６…復調部
４８…インターフェース部
７５…表示部
７６…音声出力部
７７…操作入力部
７９…ＨＤＤ
８０…ＣＰＵ
８１…ＲＡＭ
８２…ＲＯＭ
８４…放送視聴アプリケーション
９１…放送再生プログラム
９２…放送記録プログラム
９３…記録予約プログラム
９４…番組情報処理プログラム
１０５…番組リスト表示ボタン
１０７…番組リストウィンドウ
１０８…現在番組リスト
１０９…次番組リスト表示ボタン
１１０…次番組リスト
１１１…現在番組リスト表示ボタン
１３１…予約ウィンドウ
【図６】
2006245703.tif 000003
【図１】
2006245703.tif 000004
【図２】
2006245703.tif 000005
【図３】
2006245703.tif 000006
【図４】
2006245703.tif 000007
【図５】
2006245703.tif 000008
【図７】
2006245703.tif 000009
【図８】
2006245703.tif 000010
【図９】
2006245703.tif 000011
【図１０】
2006245703.tif 000012
【図１１】
2006245703.tif 000013
【図１２】
2006245703.tif 000014
【図１３】
2006245703.tif 000015
【図１４】
2006245703.tif 000016
【図１５】
2006245703.tif 000017